(57)【要約】【目的】膜体の耐久性を向上し、保守経費を低減し、マッサージ治療感を永らく維持できる張設式水圧マッサージ機を提供することにある。【構成】ベッドの上面に張設された、弾性シートでなる膜体（４）を介して、該膜体（４）上面に寝た患者を治療するベッド型のマッサージ装置において、殻体（４９）上方の矩形状の開口部（５）に張設固定する膜体（４）を、予め、短手方向より長手方向に余分に引き伸ばして張り付けることを特徴とするシート張設式マッサージ装置である。【選択図】      図１
2004261445.tif 000002
【特許請求の範囲】
【請求項１】
ベッドの上面に張設された、弾性シートでなる膜体（４）を介して、該膜体（４）上面に寝た患者を治療するベッド型のマッサージ装置において、殻体（４９）上方の矩形状の開口部（５）に張設固定する膜体（４）を、予め、短手方向より長手方向に余分に引き伸ばして張り付けることを特徴とするシート張設式マッサージ装置。
【請求項２】
マッサージ装置は、上面が矩形状に開口した貯留槽（３）の開口部（５）に、弾性シートでなる防水性の膜体（４）を水密状に張設し、密閉した貯留槽（３）内に液体を充満させ、且つ該貯留槽（３）の内部に、貯留した液体を噴射し、膜体（４）上面に寝た患者を刺激する噴射部（８）を配設したウォーターベッド式の水圧マッサージ装置（１）でなることを特徴とする請求項１記載のシート張設式マッサージ装置。
【請求項３】
開口部（５）に伸長して張設される膜体（４）の長手方向の伸長率と短手方向の伸長率の差Ｓが、Ｌを膜体（４）の長手方向の固定長、Ｂを短手方向の固定長として、
０．１５×（Ｌ／Ｂ−０．５）≦Ｓ≦４．５×（Ｌ／Ｂ−０．５）
の範囲であることを特徴とする請求項１又は請求項２記載のシート張設式マッサージ装置。
【請求項４】
弾性シート素材でなる膜体（４）の厚さｔが、０．５ｍｍ≦ｔ≦５ｍｍの範囲で、
硬さが平均ゴム硬度Ａで４０度≦Ａ≦７０度の範囲にあることを特徴とする請求項１乃至３のいずれか１項に記載のシート張設式マッサージ装置。
【請求項５】
膜体（４）を張設して密閉固定する前に、張設固定後所定の伸長率差となるよう、予め膜体（４）の所定位置に、開口部（５）へ固定する為の膜体取付穴（４６）を加工し、又は張設の目安となるマーキング（４８）を施し、これを目安に位置決めし張設固定することを特徴とする請求項１乃至４のいずれか１項に記載のシート張設式マッサージ装置。
【発明の詳細な説明】
【０００１】
【発明の属する技術分野】
本発明は、臥姿勢の人体の頚部、体幹及び下肢を、噴流や水圧などにより、膜体を介してマッサージするベッド形状のシート張設式マッサージ装置に関する。
【０００２】
【従来の技術】
【特許文献】特開平８−２５２２９３号公報
従来の技術として挙げた上記特許文献には、上部開口、膜体、水槽、ウォーターベッド、シート、吸水口、吐水口、ポンプ、水槽の長手方向に往復移動自在且つ横断方向に首振り自在に配設したノズル等から構成されるウォーターベッド式マッサージ機が開示されている。
【０００３】
【発明が解決しようとする課題】
前記ウォーターベッド式マッサージ機のシートは、その端部を水槽の上側フランジ部に形成した溝部に一旦折り込み、同溝部にシール用枠を嵌合し、さらに、同シール用枠を、シートと共に、上側フランジ部と外側フレームとにボルトを介して止め板で固定している。
水張り・噴射・実治療下では、シートには患者が乗降し臥位姿勢で横たわり、さらに水槽内のノズルからの噴流水がシートにぶつかり、該シートに大きな負荷が掛かり伸びが発生する。この伸びはその後いくらかの永久ひずみとなってシートに残る。この永久ひずみ（＝伸び変形）は、通常使用を繰り返すと次第に伸びが増大し、たるみとなり緩んでくる。特に、ベッドに長方形状に張設されたシートでは、たるみが大きくなると横方向のひだ状の波打ち形状となってシート面に発現し、外観美観が悪く違和感があり、さらにはマッサージ感が悪化することになる。
【０００４】
本発明の目的は、上記難点を解決したものであり、膜体の使用期間を長くし耐久性を向上させて、保守経費を低減し、さらにはマッサージ治療感を永らく適正に維持できる、シート張設式マッサージ装置を提供することにある。
【０００５】
【課題を解決するための手段】
即ち本発明は、ベッドの上面に張設された、弾性シートでなる膜体（４）を介して、該膜体（４）上面に寝た患者を治療するベッド型のマッサージ装置において、殻体（４９）上方の矩形状の開口部（５）に張設固定する膜体（４）を、予め、短手方向より長手方向に余分に引き伸ばして張り付けることを特徴とするシート張設式マッサージ装置である。
又、ベッド型のマッサージ装置を、上面が矩形状に開口した貯留槽（３）の開口部（５）に、弾性シートでなる防水性の膜体（４）を水密状に張設し、密閉した貯留槽（３）内に液体を充満させ、且つ該貯留槽（３）の内部に、貯留した液体を噴射し、膜体（４）上面に寝た患者を刺激する噴射部（８）を配設したウォーターベッド式の水圧マッサージ装置（１）とする。
更に、開口部（５）に伸張して張設される膜体（４）の長手方向の伸長率と短手方向の伸長率の差Ｓが、Ｌを膜体（４）の長手方向の固定長、Ｂを短手方向の固定長として、０．１５×（Ｌ／Ｂ−０．５）≦Ｓ≦４．５×（Ｌ／Ｂ−０．５）の範囲とする。
更に又、弾性シート素材でなる膜体（４）の厚さｔを、０．５ｍｍ≦ｔ≦５ｍｍの範囲とし、硬さが平均ゴム硬度Ａで４０度≦Ａ≦７０度の範囲とする。
又、膜体（４）を張設して密閉固定する前に、張設固定後所定の伸長差となるよう、予め膜体（４）の所定位置に、装置本体へ固定する為の膜体取付穴（４６）を加工し、又は張設の目安となるマーキング（４８）を施し、これを目安に位置決めし張設固定する。
【０００６】
【作用】
本発明のベッド型のマッサージ装置に張設された膜体４の上面に患者を載せマッサージ治療を施す。
前記マッサージ装置の殻体４９の上面に開口された矩形状の開口部５に、長方形の弾性シートでなる防水性の膜体４を予め、短手方向より長手方向に自然長から所定量伸張させて張設する。
【０００７】
殻体４９上方の開口部５に張設固定した膜体４は、膜体４上面に載置された人体を支持する。
【０００８】
マッサージ装置はウォーターベッド式の水圧マッサージ装置１である。殻体４９を貯留槽３とし、該貯留槽３に液体を充満させる。貯留槽３の開口部５に膜体４を所定量伸長させて水密状に張設する。
【０００９】
貯留槽３の内部に配設した噴射部８は、貯留槽３内の液体を  膜体４の裏面へ上向きに噴射し、膜体４を介して膜体４上面に載置された人体に水圧マッサージを施す。
【００１０】
マッサージ装置の開口部６に膜体４を、膜体４の長手方向の伸長率と短手方向の伸長率との差Ｓが、Ｌを膜体４の長手方向の固定長、Ｂを短手方向の固定長として、
０．１５×（Ｌ／Ｂ−０．５）≦Ｓ≦４．５×（Ｌ／Ｂ−０．５）の範囲となるように張設する。
【００１１】
膜体４は弾性シート素材で形成され、厚さｔを０．５乃至５ｍｍとする。好ましくは０．８乃至３ｍｍである。
膜体４の平均のゴム硬度Ａを４０乃至７０度とする。
【００１２】
膜体４を張設して密閉固定する前に、張設固定後所定の伸長差となるよう、予め膜体４の所定位置に、開口部５へ固定する為の膜体取付穴４６を加工し、又は張設の目安となるマーキング４８を施す。
膜体取付穴４６又はマーキング４８を目安に位置決めし、開口部５へ膜体４を張設固定する。
【００１３】
【実施例】
以下、本発明の実施の形態について、図１乃至図６を用いて説明する。
図１乃至図５に本発明に係るシート張設式マッサージ装置の第１の実施例を示す。
図１はシート張設式マッサージ装置の構造を示す正面垂直断面図、図２はシート張設式マッサージ装置全体の主構成を示す平面図、図３は膜体４を貯留槽３の槽上縁９に張設した状態を示す部分断面図、図４は殻体４９に伸張させた膜体４を押さえて固定する膜体枠１０の平面図、図５は貯留槽３の槽上縁９へ張設する前の膜体４の平面図である。
【００１４】
図１に示すシート張設式マッサージ装置は、ウォーターベッド式の水圧マッサージ装置１である。該装置１の殻体４９は、装置台２と貯留槽３とで構成され、貯留槽３の上方開口部５は膜体４で密閉され、貯留槽３内には貯留液６が充満され、貯留槽３の内部には膜体４を介して膜体４上に載置された患者を刺激する噴射部８が配設される。
貯留槽３外の装置台２の内部には、貯留液６を貯留槽３内と噴射部８を経由して循環させるポンプ７が設けられる。
噴射部８は、殻体４９に設置される縦移動機構１６及び横移動機構１８によって貯留槽３内を底壁３２にそって縦方向（＝前後方向）に移動しながら横方向（＝左右方向）にも適宜に移動しながら膜体４の裏面に貯留液６を噴射する。
【００１５】
貯留槽２上部の槽上縁９には、臥位人体の載置に対応し、平面視で矩形状の開口部５が形成される。開口部５は上面を膜体４で覆い、槽上縁９で密閉固定した後、貯留槽３内に貯留液６を充満させる。
【００１６】
ポンプ７により加圧された貯留液６をノズル部１９から膜体４に向かって噴射する噴射部８は、ノズル部１９を擁するノズル台２０が人体左右に対応して一対に配置され、ギア連動部２９により左右に連動する。
具体的には、図２に示すように円盤状の右ノズル台２０Ａと左ノズル台２０Ｂが左右連動しながら旋回作動してノズル部１９Ａ・１９Ｂを横移動させる。
ギア連動部２９で連動するノズル台２０は回転軸である支持軸１７で支持され、該支持軸１７は底壁３２を走行する車輪２３を有する台車部１５に載設されている。
ポンプ７で加圧された貯留液６は、吐出口３５から可撓ホース３６内、支持軸１７内を経由してノズル部１９より噴射される。
【００１７】
殻体４９には噴射部８を移動させて治療を行う縦移動機構１６と横移動機構１８が設けられる。
縦移動機構１６は、螺子シャフト構造でなる縦移動軸２２を連結し貯留槽３外に設けられた縦移動モータ２１を回転駆動させ、縦スライダー２６により台車部１５を長手方向に往復して移動可能させる。縦移動軸２２は軸受け２４・２５でシール・支持される。
横移動機構１８は、スプライン軸構造でなる横移動軸２８を連結し貯留槽３外に設けられた横移動モータ２７を回転駆動させ、ウォームギア構造のギア連動部２９によりノズル台２０を旋回させ、ノズル部１９を短手方向に横移動させる。横移動軸２８は軸受け３０・３１でシール・支持される。
【００１８】
貯留槽３内の貯留液６を循環し噴射部８に加圧液を送るポンプ７は、貯留槽３下の装置台２に設置され、貯留槽３の吸込口３３から貯留液６吸入し、加圧して、調整器３４で温度調整などを行い吐出口３５から噴射部８へ供給する。
ポンプ７の吐出側には分岐弁３８が設けられ、ポンプ７により吐出された貯留液６は、適宜分岐弁３８によりエア抜き機構３９に送液される。
エア抜き機構３９は、エア抜きライン４１のエア抜き口４２より膜体４下面に滞在するエア溜りを吸引し、ガス成分のみを外部に排出し、貯留液６を戻し口４０より貯留槽３内に戻す。
【００１９】
貯留槽３の開口部５に張設される膜体４は、槽上縁９に載置された膜体４の端部を、膜体枠１０で挟んで止め具１１で密閉固定される。
膜体枠１０は、一体構造または分割一式構造で開口部５とほぼ同形状の枠開口部４３が開口され、貯留槽３の全周囲の槽上縁９に被される。その結果、膜体４は弛みなく適度な張りで張設される。
【００２０】
張設された膜体４は、患者の乗降や噴射の水圧による負荷により伸びが生じ、わずかな残留ひずみが経時的に永久伸びとなって蓄積され、伸びの大きい部分は膜体４の張りが緩んで、さらにはたるみが発生し、ひどくなると患者の支持具合が悪くなり、さらには長手方向に大きな波打ち皺となって外観不良や治療感不良を起こすことになる。
これらの波打ち皺は、主に膜体４が矩形状に張設されていることによって発現するものであり、本発明の発明者は鋭意検討の結果、膜体を短手方向より長手方向に所定量余分に引っ張って伸ばして張ることにより前記波打ち皺の発現が解消されることを見出した。
【００２１】
具体的には、膜体４を予め膜体４の長手方向に自然長から所定量伸張させて、開口部５の全面を覆い、図３に示すように膜体枠１０で膜体４を挟んで、止め具１１で槽上縁９に密閉固定する。
尚、膜体枠１０は、貯留槽３の槽上縁９の全周囲にわたって、膜体４を槽上縁９に押圧し止め具１０で止めて密閉固定するものである。
特に、第１実施例において、予め膜体４を所定量伸張させて、矩形状の槽上縁９又は膜体枠１０に、止め具１１を挿入する穴位置などを目安に、両面テープなどの接着により膜体４を仮止めし、膜体４とのセット状態にしてから、貯留槽３への組付けを行えば、膜体４を均一且つ正確に伸長させて張設することができ、また両者を簡単な作業で組み立てることが出来る。
【００２２】
膜体４の張設は、患者の人体を適度な張力で貯留液面上に浮かし、かつ噴射部８の噴射力を安定して且つ十分に人体に伝達させるため、短手方向の張りと長手方向の張りで調整する。
【００２３】
経時使用による膜体４の波打ち皺の発現を抑えるためには、長手方向の伸長率を短手方向の伸長率より大きくとることが重要である。通常、短手方向の伸長は、自然長に対し０乃至０．５％程度伸ばして張設するが、長手方向にはさらに伸ばして張設する必要がある。
具体的には、長手方向の伸長率と短手方向の伸長率の差Ｓが、好ましくは、０．１５×（Ｌ／Ｂ−０．５）≦Ｓ≦４．５×（Ｌ／Ｂ−０．５）の範囲にあり、更に好ましくは、０．３×（Ｌ／Ｂ−０．５）≦Ｓ≦３．０×（Ｌ／Ｂ−０．５）の範囲とすることである。
【００２４】
尚、Ｌは膜体４の長手方向の固定長（ｍｍ）であり、Ｂは短手方向の固定長（ｍｍ）である。
長手方向の伸長率が不十分だと、短手方向と長手方向の残留ひずみ比率から矩形状面での張設状態で縦方向の波打ち皺となって発現し易く、逆に長手方向に伸ばしすぎると張設時のシート張力が大きくなり作業性が悪くなり、また膜体４全体の面張力が大きくなり患者の寝心地や治療感が悪化する。
【００２５】
具体例で説明すると、膜体４の短手方向の固定長値が１Ｍ、長手方向の固定長値が２Ｍの場合、長／短比（Ｌ／Ｂ）は２となり、膜体４の長手方向と短手方向の伸長率差Ｓを、０．２２５％≦Ｓ≦６．７５％の範囲となるよう余分に伸ばして張る。このことにより経時使用による波打ち皺の発現を抑えることが出来る。
そしてさらに好ましくは、０．４５％≦Ｓ≦４．５％の範囲となるよう余分に伸ばして張ることによりさらに好ましい結果を得ることが出来る。
【００２６】
ちなみに、短手方向には、伸ばさず自然長Ｂ＝Ｂ０で張る場合、好ましくは、長手方向に自然長Ｌ０が約１８７４ｍｍ乃至１９９５ｍｍの膜体４をＬ＝２０００ｍｍとなるよう伸ばして張ることであり、さらに好ましくはＬ０が約１９１３ｍｍ乃至１９９１ｍｍの膜体４をＬ＝２０００ｍｍとなるよう伸ばして張ることである。
尚、本具体例において、短手方向の膜体幅は、自然長で設定して張設しているが、膜体４に必要な面張力は貯留液の内部からの盛り上がりと、長手方向に余分に伸張させることで短手方向に発生する収縮力とで得られる。
【００２７】
膜体４は、ゴムシートなど薄い弾性シート素材で形成され、好ましくは、厚さを０．５乃至５ｍｍとし、平均ゴム硬度を４０乃至７０度とする。
厚さが０．５ｍｍ未満では必要な柔軟性と十分な素材強度を得るのが難しいばかりではなく、貯留液の噴射音がダイレクトに伝わり不快感が生じことにもなり、厚さが５ｍｍを超えそれ以上厚くなると貯留液６の噴射圧力が膜体４の質量に吸収され治療圧力が弱くなるばかりでなく、膜体４の人体への馴染み（形添え）が悪化し治療感が著しく悪化することになる。
また、膜体４の必要な柔軟性を得る膜体４の硬さは、ゴム硬度４０度未満では柔らかくなり過ぎ、人体を保持するのに必要な強度や面張力を得るには分厚いものにしなければならず、分厚いものは高価であるばかりで無く治療感も悪化する。ゴム硬度が７０度を超えると硬くなり過ぎ寝心地や治療感が悪いものとなる。
前記した素材、厚さ及び硬度に係る数値は、膜体４に衝突する噴流水圧に対して該膜体４が必要な強度を保持しながら、好適に変形し易い好適な素材や数値である。膜体４には、柔軟性や強度のほか復元性、耐水性など多くの諸物性の要求があり単一素材の構成では無い、２層以上の積層シートや特殊ライニング処理を施した複合シートがより好適に用いられるが、その場合の硬さは、構成厚みを考慮した平均ゴム硬度が適用される。
【００２８】
尚、図１中、１２は固定部、１３はカバー、１４は操作部、３７は給排弁、図３中、４５は接着体である。
【００２９】
第１実施例の水圧マッサージ装置１を使用する際は、先ず、貯留槽３に液体を満たし、膜体４上に人体を乗せる。
次に、縦移動機構１６を作動させる。この作動によって噴射部８を水圧マッサージ装置１の長手方向に移動させ、噴射部８を人体のマッサージ治療をしたい部位に移動させる。
【００３０】
次に、ポンプ７を駆動し、貯留槽３の液体を吸入し加圧し噴射部８に供給する。噴射部８は、供給された水を膜体４の裏面に向けて噴射し、膜体４上の人体に、膜体４を介して刺激を与えマッサージを施す。
尚、噴射部８は一定位置に固定でき、或いは、連続的に水圧マッサージ装置１の短手方向及び／又は長手方向に往復移動させることも可能である。
【００３１】
膜体４は、貯留槽３の上面に開口された長方形の開口部５に、予め膜体４の長手方向に自然長から所定量伸張させて張設する。
槽上縁９と膜体枠１０とで膜体４を挟み止める。膜体４の長手方向の伸長率と短手方向の伸長率の差Ｓが、０．１５×（Ｌ／Ｂ−０．５）≦Ｓ≦４．５×（Ｌ／Ｂ−０．５）の範囲となるよう、好ましくは、０．３×（Ｌ／Ｂ−０．５）≦Ｓ≦３．０×（Ｌ／Ｂ−０．５）の範囲となるように膜体４を開口部５に伸長して張設する。
【００３２】
膜体４は、衝突する噴射水によって上方へ押し上げられ更に伸張させられるが、製作時に予め所定量伸長して開口部５へ取り付けている為、年月が経過しても弛みは発現しない。
前記伸長量は、衝突する噴流水圧のエネルギーが膜体４の張力によって減衰しないように考慮し、且つ波打ち変形が残存しないよう考慮した量である。
【００３３】
膜体４はゴムシート素材で形成され、厚さを０．５乃至４ｍｍとし、平均ゴム硬度は４０乃至７０度である。
膜体４は、噴流水圧により容易に変形する。その変形により人体を刺激する。
又、前記変形のエネルギーが膜体４の硬さによって減衰しないように考慮した厚さ、平均ゴム硬度で、当該膜体４は製作されている。
【００３４】
図６は本発明の第２実施例を示す膜体４の張設固定構造の図である。膜体４の密閉固定構造以外は第１実施例と同様である。
図６に示す膜体４の固定方法は、槽上縁９の止め溝５０に膜体４を差し込んでクサビ４７を打ち込んで押さえ、さらに膜体枠１０に止め具１１を挿入し固定する方法である。
尚、本張設固定構造では取付穴が無いため、第１実施例のように枠取付穴４４と膜体取付穴４６の位置を基準にして張設伸長量を決めることが出来ないため、別途膜体４の表面に適宜、張設伸長位置の目安となるマーキング４８を表示しておく。
【００３５】
第２実施例の使用はほぼ第１実施例に準ずるが、膜体４を殻体４９に張設固定する前に、伸長設定に合わせて膜体に長方形の線引き等のマーキング４８をしておく点で、第１実施例とは異なる。
【００３６】
【発明の効果】
本発明は、ベッド型のマッサージ機において、殻体４９上方の矩形状の開口部５に、膜体４を予め長手方向に自然長から所定量伸長させて張設するものであるから、使用年月が経過しても波打状の皺の発現が抑制され、膜体４の耐久性を向上でき、その為、短期間で膜体４の張り替えや張り調整の必要がなくなり、メンテナンス労力を軽減でき経費を節減できると共に稼働率も向上し、好都合である。
【００３７】
本発明は、マッサージ装置をウォーターベッド式の水圧マッサージ装置１としたものである。
従来のウォーターベッド式の水圧マッサージ装置で、特に伸びやすいソフトな膜体では、２〜３ヶ月程度の短期間でも大きな永久伸びが残り大きな波打形状が残存していた。又、しっかりした硬い膜体では、短期で問題になるような大きな皺は発生しないが、半年から１年程度すると永久伸びによる波打ちが目立ち、膜体の張り直しが必要になっていたが、本発明は噴流水圧によって膜体４がよく変形順応しながらも、永久伸び、波打ち形状が発現せず、永らく正常状態下で水圧マッサージを施すことができ、又、膜体４の張り直しの頻度を減らすことができ、好都合である。
【００３８】
本発明は、膜体４の長手方向の伸長率と短手方向の伸長率の差Ｓが、Ｌを膜体４の長手方向の固定長、Ｂを短手方向の固定長として、０．１５×（Ｌ／Ｂ−０．５）≦Ｓ≦４．５×（Ｌ／Ｂ−０．５）の範囲としたものであるから、使用年月が経過しても波打状の皺の発現が抑制され、膜体４の耐久性を向上できる上、膜体４は過度に緊張せず適度の緊張を有しながらも噴流水圧による変形を人体に伝え噴流水圧の減衰を少なくでき、好都合である。
【００３９】
本発明に係る膜体４は、弾性シート素材で形成され、厚さを０．５乃至５ｍｍとし、平均ゴム硬度を４０乃至７０度とされるものであるから、膜体４は適度の緊張下において、厚さ及び平均ゴム硬度の前記数値の軟性が有る故に、噴流水圧により好適に変形し、噴流水圧の減衰を少なくでき、効率のよいマッサージを行なえ、好都合である。
【００４０】
本発明は、膜体４を張設して密閉固定する前に、張設固定後所定の伸長差となるよう、予め膜体４の所定位置に、開口部５へ固定する為の膜体取付穴４６を加工し、又は張設の目安となるマーキング４８を施し、これを目安に位置決めし張設固定するものであるから、膜体４を均一且つ正確に伸長させて張設でき、膜体４の開口部５への張設固定も簡単に行え、好都合である。
【図面の簡単な説明】
【図１】本発明の第１実施例を示す正面垂直断面図である。
【図２】本発明の第１実施例を示す平面図である。
【図３】本発明の第１実施例に係る膜体の固定構造を示す部分断面図である。
【図４】本発明の第１実施例に係る膜体枠の平面図である。
【図５】本発明の第１実施例に係る貯留槽の槽上縁へ張設する前の膜体の平面図である。
【図６】本発明の第２実施例に係る膜体の張設固定構造を示す部分断面図である。
【符号の説明】
１    マッサージ装置
３    貯留槽
４    膜体
５    開口部
８    噴射部
１０  膜体枠
４６  膜体取付穴
４８  マーキング
４９  殻体
【図１】
2004261445.tif 000003
【図２】
2004261445.tif 000004
【図３】
2004261445.tif 000005
【図４】
2004261445.tif 000006
【図５】
2004261445.tif 000007
【図６】
2004261445.tif 000008